(57)【要約】【技術課題】  被取付体のデザインに調和したデザインとすることができる装飾丁番を提供する。【解決手段】  丁番３の取付板６、６ａに磁石取付穴８を形成すると共に、前扉２の取付溝１３に磁石嵌合穴１４を形成する。前記前扉２に丁番３を取り付けた後、前記丁番３の取付板６、６ａに形成した磁石取付穴８から前記磁石嵌合穴１４内に磁石９を挿入して固定し、この磁石９の磁力を利用して丁番３の取付板６、６ａの表面に装飾板１１を吸着して固定する。このように、丁番本体４と装飾板１１を別々に構成することにより、装飾板１１の装飾（デザイン）を仏壇１のデザインに調和させることができる。また、装飾板１１は低コストにより製作することができると共に、磁石９で固定する方式のため、固定及び交換を簡単に行うことができる。【選択図】        図  １
0003115541.tif 000002
【実用新案登録請求の範囲】
【請求項１】
丁番の取付板に磁石取付穴を形成すると共に、丁番被取付体側であって、前記丁番の磁石取付穴に対向する位置に磁石嵌合穴を形成したこと、
前記丁番被取付体に丁番を取り付けた後、前記丁番の取付板に形成した磁石取付穴から丁番被取付体の磁石嵌合穴内に磁石を挿入して固定し、この磁石の磁力を利用して丁番の取付板の表面に装飾板を吸着させて固定したこと、
を特徴とする装飾丁番。
【請求項２】
前記装飾板は、磁石に吸着する金属板の表面に装飾が施された構成であることを特徴とする請求項１に記載の装飾丁番。
【請求項３】
前記装飾板は、磁石に吸着する金属板と、この金属板の表面に貼り合わされた装飾基材から成ることを特徴とする請求項１に記載の装飾丁番。
【請求項４】
前記装飾基板の材質は、表面に装飾模様が施された布、紙、木材、樹脂、ガラス、焼成板、皮革から成ることを特徴とする請求項３に記載の装飾丁番。
【請求項５】
前記装飾板又は装飾基板は、交換自在であって、任意の模様あるいは家紋がデザインされていることを特徴とする請求項１〜４に記載の何れか１項に該当する装飾丁番。
【考案の詳細な説明】
【技術分野】
【０００１】
本考案は、仏壇あるいは一般家具等において用いられる丁番に関するものである。
【背景技術】
【０００２】
丁番の場合、例えば扉を２つ折りに出来るように取り付けた場合には、正面側から見たときに丁番は展開した状態となり、その取付板の全面が露出する。このため、例えば、仏壇の前扉を例にすると、彫刻等が施され、荘厳な外観を呈しているのに、この丁番の部分だけは金属製であり、ビスの頭等も目につくことから、異質感が出て、他の部分のデザインと調和しない。
従来、このように丁番の部分が他のデザインと調和しないのを防ぐために、丁番に色彩を施して目立たないようにしたり、丁番の表面に彫刻を施したりしているが、色彩を施した場合には、ただ目立ちにくい、というだけであり、彫刻を施した場合には、丁番のコストが高くつくという問題がある。
【考案の開示】
【考案が解決しようとする課題】
【０００３】
本考案は、斯る欠点に鑑みて提案されるものであって、その目的は、仏壇や家具類とのデザイン的な調和が図れ、かつ装飾的な効果が高く、然も低コストにより実現が可能な装飾丁番を提供することである。
【課題を解決するための手段】
【０００４】
上記目的を達成するため、請求項１に記載の考案においては、装飾丁番において、丁番の取付板に磁石取付穴を形成すると共に、丁番被取付体側であって、前記丁番の磁石取付穴に対向する位置に磁石嵌合穴を形成したこと、
前記丁番被取付体に丁番を取り付けた後、前記丁番の取付板に形成した磁石取付穴から丁番被取付体の磁石嵌合穴内に磁石を挿入して固定し、この磁石の磁力を利用して丁番の取付板の表面に装飾板を吸着させて固定したこと、を特徴とするものである。
【０００５】
更に、請求項２に記載の考案においては、請求項１に記載の装飾丁番において、前記装飾板は、磁石に吸着する金属板の表面に装飾が施された構成であることを特徴とするものである。
【０００６】
更に、請求項３に記載の考案においては、請求項１に記載の装飾丁番において、前記装飾板は、磁石に吸着する金属板と、この金属板の表面に貼り合わされた装飾基材から成ることを特徴とするものである。
【０００７】
更に、請求項４に記載の考案においては、請求項３に記載の装飾丁番において、前記装飾基板の材質は、表面に装飾模様が施された布、紙、木材、樹脂、ガラス、焼成板、皮革から成ることを特徴とするものである。
【０００８】
更に、請求項５に記載の考案においては、請求項１〜４に記載の何れか１項に該当する装飾丁番において、前記装飾板又は装飾基板は、交換自在であって、任意の模様あるいは家紋がデザインされていることを特徴とするものである。
【考案の効果】
【０００９】
本考案は以上のように、丁番の取付板の表面に磁石を用いて装飾板を取り付けることができるように構成したので、丁番を被取付体のデザインに調和させたものとすることができる。
また、磁石を用いて装飾板を取り付けるだけのため、構成は簡単であり、コストがかからないと共に、必要に応じて装飾板を簡単に取り替えることもできる。
【実施例】
【００１０】
以下、本考案の実施例を添付の図面を用いて詳細に説明する。図１は本考案に係る装飾丁番を前扉に用いた仏壇を示す正面図、図２（Ａ）は丁番本体部分の分解説明図、（Ｂ）は装飾板の説明図、図３（Ａ）は丁番本体を扉に取り付けた状態の説明図、（Ｂ）は装飾板の説明図、図４は仏壇１の扉に用いられている丁番本体に磁石を利用して装飾板を取り付けた状態の断面図、図５は装飾板を金属板と装飾基材に分けた例の説明図である。
【００１１】
各図において、１は仏壇、２は仏壇１の前扉、３は前扉２を後方に２つ折りにするために取り付けられた本考案に係る装飾丁番であって、この装飾丁番３は、図２（Ａ）に示すように、中央に回転軸５を配し、この左右に取付板６、６ａを配し、それぞれビス穴７を３ヶ所に、磁石取付穴８を上下２ヶ所に形成した丁番本体４と、前記丁番本体４を前扉２に取り付けるためのビス１０と、前記磁石取付穴８を経由して前扉２の丁番取付溝１３に形成した磁石嵌合穴１４内にそれぞれ嵌合される短円柱状の永久磁石９から成る。
【００１２】
図２（Ｂ）において、１１は、前記丁番本体４の取付板６、６ａとそれぞれ同一の大きさの金属板（鉄板）で制作された装飾板であって、本実施例の場合、装飾板１１の表面には、地色に濃い紺色を用い、表面に草花をモチーフとしたデザイン１２が描かれている。
但し、装飾板１１は、前記磁石９に吸着するものならば、他の金属でもよく、また、図５に示すように裏面のみが金属体１５で表面には木板から成る装飾基板１６を貼り合わせ、この基板１６に例えば漆を用いて模様、あるいは家紋等を描いたものでもよい。なお、貼り合わせる材質及び模様については自由であり、仏壇のデザインに調和したものが描かれる又は（及び）彫刻等が施される（請求項３、４）。
【００１３】
また、例えば装飾板１１全体が木材やプラスチックの場合には、磁石９と対向する位置にのみ鉄片等の金属を埋め込むようにして取り付けた構成としてもよい。
また、磁石の数量、配置は任意であり、形状も実施例の円柱状から四角形等でもよい。
１３は、前扉２の前縁２ａに形成した丁番取付溝であって、この溝１３の深さは、丁番本体４の取付板６、６ａの厚さと、装飾板５、５ａの厚さの合計を基本とするが、この合計より多少大きく（深く）形成してもよい。
【００１４】
以上で説明した丁番本体４は、図３及び図５に示すように、丁番取付溝１３内にビス１０を用いて取付板６、６ａを固定し、この取付板６、６ａの磁石取付穴８から前扉２側の磁石嵌合穴１４内に円柱状の磁石９を挿し込んで固定し、磁石９の面は丁番本体４側の取付板６、６ａと面一とする。なお、本実施例の場合、磁石９と磁石嵌合穴１４とは少し固く嵌合する寸法に設定されているが、接着剤を用いて磁石９を磁石嵌合穴１４内に固定するようにしてもよく、磁石９の固定手段は任意である。
なお、上記実施例は、仏壇に装飾丁番を用いた例であるが、その他の家具等であって、２つ折りに自在に形成する家具あるいは日用品、民芸品等にも本考案に係る装飾丁番は適用可能である。
【図面の簡単な説明】
【００１５】
【図１】本考案に係る装飾丁番を前扉に用いた仏壇を示す正面図
【図２】（Ａ）は丁番本体部分の分解説明図、（Ｂ）は装飾板の説明図
【図３】（Ａ）は丁番本体を扉に取り付けた状態の説明図、（Ｂ）は装飾板の説明図
【図４】丁番本体の取付板の表面に磁石を利用して装飾板を取り付けた状態の断面図
【図５】装飾板を金属板と装飾基材に分けた例の説明図
【符号の説明】
【００１６】
１  仏壇
２  前扉
３  装飾丁番
４  丁番本体
５  回転軸
６、６ａ  取付板
７  ビス穴
８  磁石取付穴
９  磁石
１０  ビス
１１  装飾板
１２  デザイン
１３  丁番取付溝
１４  磁石嵌合穴
１５  金属板
１６  装飾基材
【図１】
0003115541.tif 000003
【図２】
0003115541.tif 000004
【図３】
0003115541.tif 000005
【図４】
0003115541.tif 000006
【図５】
0003115541.tif 000007